(57)【要約】【課題】使用者等の操作手順を簡素化し、その業務効率を向上することができる血糖などの生体成分を測定する生体成分測定装置及び生体成分測定装置の表示部の表示方法を提供すること。【解決手段】識別情報の組合せ等によって処理が開始される実行モードを実行する実行モード部２６と各種情報を表示する表示部１１と識別情報入力部１６とを有し、実行モードの情報である実行モード情報と、実行モードを実行するために選択が必要な識別情報を含む全体情報２０ａを表示部に表示する全体情報表示部１９と、識別情報入力部で入力された全体情報の識別情報に関連する実行モード情報である関連実行モード情報を選択して表示部に表示する関連実行モード情報表示部２３と、を有し、関連実行モード情報表示部は、当該関連実行モードの実行に未選択の他の識別情報の入力が必要な場合、当該他の識別情報の入力画面を表示部に表示する構成となっている生体成分測定装置１０。【選択図】図１２
2010236933.tif 000002
【特許請求の範囲】
【請求項１】
特定の単一の識別情報又は複数の前記識別情報の組合せによって処理が開始される複数種類の実行モードを実行する実行モード部と、
各種情報を表示する表示部と、
前記識別情報を入力するための識別情報入力部と、を有することを特徴とする生体成分測定装置。
【請求項２】
前記実行モードの情報である実行モード情報と、前記実行モードを実行するために選択が必要な前記識別情報を含む全体情報を前記表示部に表示する全体情報表示部と、
前記識別情報入力部で入力された前記全体情報の前記識別情報に関連する前記実行モード情報である関連実行モード情報を選択して表示部に表示する関連実行モード情報表示部と、を有し、
前記関連実行モード情報表示部は、当該関連実行モードの実行に未選択の他の前記識別情報の入力が必要な場合、当該他の前記識別情報の入力画面を前記表示部に表示する構成となっていることを特徴とする請求項１に記載の生体成分測定装置。
【請求項３】
前記実行モードの処理の開始に必要な全ての前記識別情報が選択されたか否かを判断する選択完了判断部と、
前記選択完了判断部が実行モードの処理の開始に必要な全ての前記識別情報が選択されたと判断したときに、前記実行モードを開始可能モードにする実行モード開始部と、を有することを特徴とする請求項２に記載の生体成分測定装置。
【請求項４】
前記実行モード開始部が前記実行モードを開始可能モードにする前に、選択された前記識別情報を表示部に確認画面として表示する確認画面表示部とを有することを特徴とする請求項３に記載の生体成分測定装置。
【請求項５】
前記識別情報が、患者、使用者、生体成分測定用チップ、点検液であり、前記実行モードが生体成分測定モード、生体成分測定装置点検モード、履歴情報参照モード、生体成分測定装置各種設定モードであることを特徴とする請求項１乃至請求項４のいずれかに記載の生体成分測定装置。
【請求項６】
特定の単一の識別情報又は複数の前記識別情報の組合せによって処理が開始される複数種類の実行モードを実行する実行モード部と、
各種情報を表示する表示部と、
前記識別情報を入力するための識別情報入力部と、を有する生体成分測定装置の表示部の表示方法であって、
前記実行モードの情報である実行モード情報と、前記実行モードを実行するために選択が必要な前記識別情報を含む全体情報を全体情報表示部が前記表示部に表示する工程と、
前記識別情報入力部で入力された前記全体情報の前記識別情報に関連する前記実行モード情報である関連実行モード情報を選択して関連実行モード情報表示部が表示部に表示する工程と、を有し、
前記関連実行モード情報表示部は、当該関連実行モードの実行に未選択の他の前記識別情報の入力が必要な場合、当該他の前記識別情報の入力画面を前記表示部に表示する構成となっていることを特徴とする生体成分測定装置の表示部の表示方法。
【発明の詳細な説明】
【技術分野】
【０００１】
本発明は、複数のモードを選択により実行させる血糖などの生体成分を測定する測定装置及びこのような生体成分測定装置の表示部の表示方法に関するものである。
【背景技術】
【０００２】
従来より、血糖を測定する血糖測定装置は、患者の血液中の血糖値を計測するために使用されている。このような血糖測定装置は例えば、特許文献１の図１等に示すような構成となっている。
また、このような血糖測定装置は、単に血糖を測定する動作モードだけでなく、装置が適切に動作しているか否かを点検する点検モードや、装置の初期設定等に関わる設定モード等の複数の動作モードを有している。
利用者等が血糖測定装置のかかる動作モードを選択するには、装置のディスプレイにメニュー画面を呼び出し、そのメニュー画面から必要な事項を幾度も選択して各動作モードを選択する必要があった。
【先行技術文献】
【特許文献】
【０００３】
【特許文献１】特開平１０−３１８９２８号公報（図１等）
【発明の概要】
【発明が解決しようとする課題】
【０００４】
ところで、例えば、この血糖測定装置を病院等で使用する場合は、看護師等の使用者が同時に多数の患者の血糖値を測定し、若しくは点検等をすることになる。この場合に、看護師等の使用者に、その都度、上述のようにメニュー画面から必要な事項を幾度も選択して、目的とする動作モードを実行するという操作を強いることは、煩雑で業務効率が悪化するという問題があった。
【０００５】
そこで、使用者等の操作手順を簡素化し、その業務効率を向上することができる血糖などの生体成分を測定する生体成分測定装置及び生体成分測定装置の表示部の表示方法を提供することを目的とする。
【課題を解決するための手段】
【０００６】
前記課題は、本発明によれば、特定の単一の識別情報又は複数の前記識別情報の組合せによって処理が開始される複数種類の実行モードを実行する実行モード部と、各種情報を表示する表示部と、前記識別情報を入力するための識別情報入力部と、を有することを特徴とする生体成分測定装置により達成される。
また、好ましくは、前記実行モードの情報である実行モード情報と、前記実行モードを実行するために選択が必要な前記識別情報を含む全体情報を前記表示部に表示する全体情報表示部と、前記識別情報入力部で入力された前記全体情報の前記識別情報に関連する前記実行モード情報である関連実行モード情報を選択して表示部に表示する関連実行モード情報表示部と、を有し、前記関連実行モード情報表示部は、当該関連実行モードの実行に未選択の他の前記識別情報の入力が必要な場合、当該他の前記識別情報の入力画面を前記表示部に表示する構成となっていることを特徴とする生体成分測定装置である。
【０００７】
前記構成によれば、例えば、生体成分測定モード等の実行モードの情報である実行モード情報と、実行モードを実行するために選択が必要な、患者ＩＤ等の識別情報を含む全体情報を表示部に表示する全体情報表示部と、バーコード読取装置等の識別情報入力部で入力された全体情報の識別情報（例えば、患者ＩＤ等）に関連する実行モード情報（例えば、生体成分測定モード等）である関連実行モード情報を選択して表示部に表示する関連実行モード情報表示部と、を有している。
すなわち、前記構成では、例えば、メニュー画面である全体情報が表示部に表示されている状態で、使用者等が患者ＩＤ等の識別情報をバーコード読取装置等の識別情報入力部で入力すると、この入力された識別情報である患者ＩＤ等が求められる実行モード（生体成分測定モード等）が関連実行モード情報として表示される。
したがって、この段階で、例えば患者ＩＤという識別情報を必要としない実行モード、例えば、生体成分測定装置の点検モードは、自動的に除外されることになる。
【０００８】
また、前記構成では、関連実行モード情報表示部は、当該関連実行モードの実行に未選択の他の前記識別情報の入力が必要な場合、当該他の識別情報の入力画面を表示部に表示する構成となっている。
すなわち、上述のように、入力された識別情報(例えば、患者ＩＤ）を必要とする実行モードを表示部に表示しつつ、当該実行モード（例えば、生体成分測定モード）を実行するに必要な他の識別情報（例えば、使用者ＩＤや生体成分測定用チップＩＤ）の入力を促すようになっている。
したがって、使用者等は、生体成分測定装置の表示部の画面表示にしたがって識別情報を入力すれば、所望の実行モードを迅速に開始することができる。そして、使用者等の操作手順を簡素化し、その業務効率を向上することができる。
【０００９】
好ましくは、前記実行モードの処理の開始に必要な全ての前記識別情報が選択されたか否かを判断する選択完了判断部と、前記選択完了判断部が実行モードの処理の開始に必要な全ての前記識別情報が選択されたと判断したときに、前記実行モードを開始可能モードにする実行モード開始部と、を有することを特徴とする生体成分測定装置である。
【００１０】
前記構成によれば、実行モードの処理の開始に必要な全ての識別情報が選択されたか否かを判断する選択完了判断部と、選択完了判断部が実行モードの処理の開始に必要な全ての識別情報が選択されたと判断したときに、実行モードを開始可能モードにする実行モード開始部と、を有する。
このため、使用者等は、表示部の画面表示に従い必要な識別情報の入力が終われば、それ以外の何らの操作をする必要がなく、生体成分測定装置が自動的に所望の実行モードを開始することになり、使用者等の業務効率をさらに向上させることができる。
【００１１】
好ましくは、前記実行モード開始部が前記実行モードを開始可能モードにする前に、選択された前記識別情報を表示部に確認画面として表示する確認画面表示部とを有することを特徴とする生体成分測定装置である。
【００１２】
前記構成によれば、実行モード開始部が実行モードを開始可能モードにする前に、選択された識別情報を表示部に確認画面として表示する確認画面表示部とを有する。
このため、生体成分測定装置が自動的に実行モードを開始する前に、その入力情報を確認でき、入力ミス等を事前に発見することができる。
【００１３】
好ましくは、前記識別情報が、患者、使用者、生体成分測定用チップ、点検液であり、前記実行モードが生体成分測定モード、生体成分測定装置点検モード、履歴情報参照モード、生体成分測定装置各種設定モードであることを特徴とする生体成分測定装置である。
【００１４】
前記課題は、本発明によれば、特定の単一の識別情報又は複数の前記識別情報の組合せによって処理が開始される複数種類の実行モードを実行する実行モード部と、各種情報を表示する表示部と、前記識別情報を入力するための識別情報入力部と、を有する生体成分測定装置の表示部の表示方法であって、前記実行モードの情報である実行モード情報と、前記実行モードを実行するために選択が必要な前記識別情報を含む全体情報を全体情報表示部が前記表示部に表示する工程と、前記識別情報入力部で入力された前記全体情報の前記識別情報に関連する前記実行モード情報である関連実行モード情報を選択して関連実行モード情報表示部が表示部に表示する工程と、を有し、前記関連実行モード情報表示部は、当該関連実行モードの実行に未選択の他の前記識別情報の入力が必要な場合、当該他の前記識別情報の入力画面を前記表示部に表示する構成となっていることを特徴とする生体成分測定装置の表示部の表示方法により達成される。
【発明の効果】
【００１５】
本発明は、使用者等の操作手順を簡素化し、その業務効率を向上することができる生体成分測定装置及び生体成分測定装置の表示部の表示方法を提供することができるという利点がある。
【図面の簡単な説明】
【００１６】
【図１】本発明に係る血糖測定装置を適用した血糖測定システムを示す概略図である。
【図２】血糖測定装置の使用状態を示す概略説明図である。
【図３】看護師等が血糖測定装置で、患者の血糖値を測定する状態を示す概略説明図である。
【図４】血糖測定装置の主な構成を示す概略ブロック図である。
【図５】本実施の形態にかかる血糖測定装置の動作等を示す概略フローチャートである。
【図６】本実施の形態にかかる血糖測定装置の動作等を示す他の概略フローチャートである。
【図７】本実施の形態にかかる血糖測定装置の動作等を示す他の概略フローチャートである。
【図８】本実施の形態にかかる血糖測定装置の動作等を示す他の概略フローチャートである。
【図９】本実施の形態にかかる血糖測定装置の動作等を示す他の概略フローチャートである。
【図１０】本実施の形態にかかる血糖測定装置の動作等を示す他の概略フローチャートである。
【図１１】メニュー画面データの一例を示す概略説明図である。
【図１２】メニュー画面データが血糖測定装置のディスプレイに表示された状態を示す概略説明図である。
【図１３】ＳＴ５２の入力を促す画面の一例を示す概略説明図である。
【図１４】チップＩＤの入力要求画面の一例である。
【図１５】確認画面を示す概略説明図である。
【図１６】ＳＴ６７における画面例を示す概略説明図である。
【発明を実施するための形態】
【００１７】
以下、生体成分として血液中のブドウ糖（血糖）を測定する血糖測定装置を例として、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明に係る血糖測定装置を適用した血糖測定システム１を示す概略図である。図１に示す血糖測定システム１は、例えば病院内で使用されるシステムである。図１に示すように、血糖測定装置１０は、病院のナースステーション等に配置され、そこに所在する看護師等の使用者が適宜、使用することができるようになっている。
また、この看護師等は、それぞれ自己の識別情報である使用者ＩＤ９を有しており、そのＩＤは、例えば「０２００３００４」という数字で表される。そして、各看護師は、自己の使用者ＩＤ９をバーコードで表したＩＤカード等を所持している。
【００１９】
図１の血糖測定装置１０は、クレードル７に搭載されると共に、病院の各種データを管理するコンピュータである情報管理装置３と、ケーブル４を介して接続可能となっている。
このため、看護師等は、血糖測定装置１０を、クレードル７及びケーブル４等を介して情報管理装置３と接続させることができ、これにより、当該血糖測定装置１０を使用するために必要なデータを情報管理装置３から取得することができる。
【００２０】
血糖測定装置１０の動作（実行）モードとしては、例えば４つのモードがある。具体的には、患者の血液の血糖値を測定する血糖測定処理モード（血糖測定モード）、血糖測定装置１０の血糖測定が正常に機能しているか否かを点検する点検処理モード（血糖測定装置点検モード）、血糖値を測定する患者に関する測定履歴データ等を、表示部である例えば、ディスプレイ１１に表示する履歴処理モード（履歴情報参照モード）、そして、血糖測定装置１０の初期設定等の各種設定条件を変更等する設定処理モード（血糖測定装置各種設定モード）である。
なお、血糖測定装置１０は、図１に示すようにディスプレイ１１を有している。
【００２１】
血糖測定装置１０は、情報管理装置３からこれらの各モードで使用するデータ、例えば、患者データ、履歴データ、そして、後述する血糖値測定用チップ５のデータ等を取得することができる構成となっている。
【００２２】
図２は、血糖測定装置１０の使用状態を示す概略説明図である。図２に示すように、看護師等が患者の血糖値を測定するために血糖測定装置１０を持って病棟に行くときは、同時に、血糖値測定用チップ５も所持する。
この血糖値測定用チップ５は、患者の血糖値を測定する際、血糖測定装置１０に装着されて使用されるようになっている。すなわち、この血糖値測定用チップ５内には、試験紙等が配置されており、この試験紙に採血した患者の血液が染み込む構成となっており、この血液における血糖値を血糖測定装置１０が測定する構成となっている。
このため、血糖値測定用チップ５は、血糖値の測定をする度に交換されることになり、この血糖測定用チップ５には、それぞれ、識別情報である例えば、チップＩＤ（チップロット）５ａ、例えば、「０９０２０５４１２Ｂ」が付されている。このチップＩＤ５ａは例えば、バーコードで血糖測定用チップ５の包装等に表示されている。
【００２３】
図３は、看護師等が血糖測定装置１０で、患者の血糖値を測定する状態を示す概略説明図である。図３に示すように、看護師等は、血糖測定装置１０に血糖値測定用チップ５を付けて、患者の血糖値を測定することになる。なお、この各患者にも識別情報である例えば、患者ＩＤ６、例えば、「０９Ｎ４−０００１０３」が付されており、この患者ＩＤ６は、バーコードでＩＤカードに表示されている。
【００２４】
また、上述の実行モードのうち、点検処理モードを実行するときは、特定の血糖値が測定できるようになっている点検液８が用いられることになる。すなわち、点検するときは、血糖測定装置１０に血糖値測定用チップ５ａを装着し、この状態で血液でなく、点検液８を点着する。すると、もし、血糖測定装置１０が正常に機能していれば、特定範囲の血糖値が算出され、一方、正常に機能していなければ、前記特定範囲と異なる血糖値が算出され、この結果によって血糖測定装置１０の点検ができるようになっている。
このような点検処理モードで使用する点検液８にも、識別情報である例えば、点検液ＩＤ８ａが付されており、この点検液ＩＤ８ａは、点検液８の容器等の表面にバーコードで表示されている。
【００２５】
ところで、上述の４つの実行モードを実行するには、上述のＩＤの取得が必要となっている。
具体的には、血糖測定処理モードでは、測定対象である患者の患者ＩＤ２、測定をする看護師等の使用者ＩＤ９、そして、今回の血糖測定装置１０に使用されるチップＩＤ５ａの３つのＩＤである。
また、点検処理モードでは、点検を行う看護師等の使用者ＩＤ９、点検で使用する血糖値測定用チップのチップＩＤ５ａ、そして、点検液８の点検液ＩＤ８ａである。
また、履歴処理モード及び設定処理モードでは、かかる処理を行う看護師等の使用者ＩＤのみとなっている。
【００２６】
これらの各実行モードで上述の各ＩＤのデータを血糖測定装置１０に入力することは病院のデータ管理上、極めて重要なことであるため、看護師等が血糖測定装置１０を使用して、上述の各実行モードを実行するときは、必ず入力することが推奨されている。
しかし、この各ＩＤデータを入力するには、血糖測定装置１０のディスプレイ１１にメニュー画面を表示させ、看護師等が実行したい実行モードの画面を表示させ、その上、必要なＩＤの入力画面等にする必要があり、煩雑な操作を求められていた。
特に、多くの患者を担当し、各患者について上述の各実行モードを実行するには、さらに、煩雑さが増すことになる。そこで、本実施の形態では、かかる操作の煩雑さを解消し、操作手順を簡素化し、その業務効率を向上することを目的とするものであり、その詳細を以下具体的に説明する。
【００２７】
先ず、図４は、血糖測定装置１０の主な構成を示す概略ブロック図である。
血糖測定装置１０には、コンピュータ等が備えられており、図４に示すように、ＣＰＵ等とから成る血糖測定装置側制御部１２を介して、実際に採血された血液中の血糖値を測定する血糖測定装置本体１３、ディスプレイ１１、図１の情報管理装置３と通信するための血糖測定装置側通信装置１４等が配置されている。
また、図１の血糖測定装置１０には、各種データを入力するテンキー及びボタン等の入力装置１５、そして、上述のバーコードのＩＤを読み取るためのバーコード読取装置１６も接続されている。
これら入力装置１５及びバーコード読取装置１６が、識別情報入力部の一例となっている。図４に示す血糖測定装置１０の主なソフトウエア構成については後述する。
【００２８】
図５乃至図１０は、本実施の形態にかかる血糖測定装置１０の動作等を示す概略フローチャートである。
以下、図５乃至図１０のフローチャートに沿って、血糖測定装置１の動作等を説明しながら図４のソフトウエア構成等についても併せて説明する。
【００２９】
先ず、図５のフローチャートを説明する。看護師等の使用者が図３に示すように、患者の側で血糖測定装置１０を使って血糖値の測定処理モードを実行する例等を中心に先ず説明し、その後、他の実行モードについて説明する。
図５で示すように、看護師等が血糖測定装置１０の電源をＯＮ状態とすると、図５のＳＴ１で、血糖測定装置１０は、セルフチェックを行う。
具体的には、図４のセルフチェックプログラム１７が、データベースのセルフチェックデータ格納部１８のセルフチェックデータを参照しつつ実行する。
【００３０】
そして、血糖測定装置１０に異常がないときは、ＳＴ２へ進み、ＩＤ入力を促す画面を血糖測定装置１０のディスプレイ１１に表示する。
具体的には、図４のメニュー画面表示プログラム１９が、データベースのメニュー画面データ格納部２０のメニュー画面データ２０ａを参照しつつ実行する。
図１１は、メニュー画面データ２０ａの一例を示す概略説明図である。
図１１に示すように、血糖測定処理モードでは患者ＩＤ６、使用者ＩＤ９、チップＩＤ５ａの入力を促すようになっている。
また、点検処理モードの場合は、使用者ＩＤ９、チップＩＤ５ａ及び点検液ＩＤ８ａの入力を促すようになっている。
履歴処理モード、設定処理モードの場合は、使用者ＩＤ９の入力を促すようになっている。
【００３１】
図１２は、メニュー画面データ２０ａが血糖測定装置１０のディスプレイ１１に表示された状態を示す概略説明図である。
図１２に示すように、図１１のメニュー画面データ２０ａがディスプレイ１１に表示され、ＩＤの入力が促される。
図１１及び図１２の測定、点検、履歴及び設定が実行モード情報の一例であり、各ＩＤと、実行モードに対応する四角等の表示が、実行モードを実行するために選択が必要な識別情報の一例である。また、メニュー画面データ２０ａが全体情報であり、メニュー画面表示プログラム１９が、全体情報表示部の一例である。
【００３２】
看護師等が、図３の患者の血糖値を測定したい場合は、患者ＩＤ６、使用者ＩＤ９、チップＩＤ５ａのいずれを先に入力しても構わない構成となっている。
すなわち、いずれのＩＤを先に入力しても、その後、他のＩＤの入力を案内し促す画面がディスプレイ１１に表示される構成となっている。
具体的には、図３の状況で、看護師等は患者のＩＤカードに表示されている患者ＩＤ６のバーコード、看護師等のＩＤカードに表示されている使用者ＩＤ９のバーコード、若しくは、血糖測定装置１０と共に運んできた、図２に示す血糖値測定用チップ５の包装等に表示されているチップＩＤ５ａのバーコードのいずれかを、図４のバーコード読取装置１６を操作して先に入力する。
【００３３】
これが、図５のＳＴ３であり、例えば、ここで、看護師等が、先に患者ＩＤ６のバーコードを入力したとする。すると、図４のバーコードデータ判定プログラム２１が、入力されたバーコードを、バーコード対応ＩＤデータ等格納部２２内のデータを参照しつつ、正しいか否かを判断し、対応するバーコードデータがない場合は、ＳＴ４で、ディスプレイ１１に入力エラー表示をする。
【００３４】
一方、ＳＴ３で、バーコードデータが正しいと判断された場合は、このバーコードが患者ＩＤ６、例えば「０９Ｎ４−０００１０３」であると認識され、図５のＳＴで患者ＩＤ入力処理へ進む。
図６は、図５の患者ＩＤ入力処理を示す概略フローチャートである。
図６に示すように、ＳＴ３で患者ＩＤが入力された場合、ＳＴ５１で測定モードが開始される。これは、図１１で示すように、メニュー画面で患者ＩＤ６が入力された場合、入力した者は、血糖値の測定をするつもりであると分かるからである。
このように、血糖測定装置１０は、看護師等が実行したいと考えている実行モード以外を自動的に事後の選択の対象から除外するようになっている。
【００３５】
しかし、図１１に示すように、血糖値の測定処理モードの場合は、患者ＩＤ６以外に使用者ＩＤ９及びチップＩＤ５ａが必要であるので、図６のＳＴ５２で、それらＩＤの入力を促す。
具体的には、図４の患者ＩＤ入力後画面表示プログラム２３が動作し、メニュー画面データ２０ａから必要な画面を切り取り、ディスプレイ１１に表示する。
【００３６】
図１３は、ＳＴ５２の入力を促す画面の一例を示す概略説明図である。
図１３に示すように、表示されているのは、確定した実行モードである血糖値の測定処理モードのみを表示し、且つ、既に入力済みのＩＤにはチェックが付され、未だ未入力のＩＤ、この例では、使用者ＩＤ９及びチップＩＤ５ａの入力を促す画面となっている。
そして、図１３に示すように、「測定を行います。使用者ＩＤかチップＩＤを入力してください」と表示される。
図１３の画面が、関連実行モード情報及び他の識別情報の入力画面の一例であり、患者ＩＤ入力後画面表示プログラム２３が、関連実行モード情報表示部の一例である。
【００３７】
ここで、例えば、使用者ＩＤ９が入力されると、ＳＴ５３へ進み、残りのチップＩＤ５ａの入力が求められる。図１４が、チップＩＤの入力要求画面の一例である。これらの動作も患者ＩＤ入力後画面表示プログラム２３が実行する。
次に、ＳＴ５４でチップＩＤ５ａの入力が確認される。具体的には、図４のＩＤ入力完了判断プログラム２４が、当該実行モードの全てＩＤの入力があったか否かを判断する。
上述の例では、血糖値の測定処理モードに必要な、患者ＩＤ６、使用者ＩＤ９及びチップＩＤ５ａの入力が完了したので、完了と判断する。
このＩＤ入力完了判断プログラム２４が、選択完了判断部の一例である。
【００３８】
一方、ＳＴ５２で、チップＩＤ５ａが入力された場合は、ＳＴ５６で使用者ＩＤ９の入力を要求する画面を表示し、ＳＴ５７で使用者ＩＤ９が入力されると、ＩＤ入力完了判断プログラム２４が、当該実行モードの全てのＩＤの入力があったか否かを判断し、ＳＴ５５へ進むことになる。
【００３９】
ＳＴ５５では、入力された患者ＩＤ等の内容を確認することになる。具体的には、図４の確認画面表示プログラム２５が動作し、確認画面をディスプレイ１１に表示する。図１５は、この確認画面を示す概略説明図である。
したがって、看護師等のデータを入力した者は、この画面を見ることで、自己の入力データに間違いがないか否かを確認することができる。
確認画面表示プログラム２５が、確認画面表示部の一例となっている。
【００４０】
次に、ＳＴ５６へ進み、血糖値の測定処理モードが開始される。具体的には、図４の血糖測定処理実行プログラム２６が、データベースの血糖測定処置用データ２７を参照しつつ実行する。
すなわち、血糖値の測定処理モードは、必要なＩＤの入力が終われば、その後、自動的に開始され、看護師等は、単に、ＩＤを入力するだけなので、看護師等の操作手間を省くことができ、業務効率を向上させることができる。
この血糖測定処理実行プログラム２６が、実行モード開始部の一例となっている。
【００４１】
また、ＳＴ５５の入力ＩＤ確認工程は、ＳＴ５６の自動的に開始される血糖値の測定処理モードの前に置かれることで、このように自動的に開始される前に確認ができ、誤ったデータで測定処理モードが開始されるのを未然に防止することができる。
なお、これで開始される血糖値の測定処理モードの詳細については、後述する。
【００４２】
一方、図５のＳＴ３で図１２の画面を見た看護師等が、血糖値の測定をするつもりで、先に使用者ＩＤ９を入力した場合は、ＳＴ６の使用者ＩＤ入力処理へ進む。
図７は、使用者ＩＤ入力処理を示す概略フローチャートである。
図７のＳＴ６１では、ＩＤ入力又はボタン操作を促す。図１１及び図１２に示すように、看護師等が、自己の使用者ＩＤ９をバーコード読取装置１６で読み取って入力しても、実行する実行モードは特定できず、４つの全てのモードが該当することになる。
そこで、ＳＴ６１では、患者ＩＤ６、点検液ＩＤ８、チップＩＤ５ａのいずれかのＩＤの入力、若しくは履歴又は設定を選択することが求められる。
看護師等は、履歴処理モード又は設定処理モードを選択する場合は、図４の入力装置１５のボタン等を操作して特定する。
ＳＴ６１では、図１２の画面の他に、履歴及び設定選択画面がディスプレイに表示される。具体的には、図４の使用者ＩＤ入力後画面表示プログラム２８が、「履歴」及び「設定」選択画面データ格納部２９のデータを参照して実行される。
【００４３】
図７のＳＴ６１で、看護師等が患者ＩＤ６を入力すれば、図１１等から明らかなように、看護師等の実行したいモードが、血糖値の測定処置であることが明らかになるので、ＳＴ６２で測定モード開始となり、後は、上述の図６に示す工程を経て、測定処理へと進むことになる（ＳＴ６３乃至ＳＴ６６）。
【００４４】
一方、ＳＴ６１で、看護師等が、先にチップＩＤ５ａを入力した場合、図１１等で明らかなように、看護師等が実行したいモードは、血糖値の測定処理モード又は点検モードのいずれかとなる。
そこで、ＳＴ６７で、ＩＤ入力画面をディスプレイ１１に表示する。具体的には、使用者ＩＤ入力後画面表示プログラム２８が実行する。
図１６は、ＳＴ６７における画面例を示す概略説明図である。
図１６に示すように、測定処理モードを実行したいのならば、患者ＩＤ６の入力を促し、点検処理モードを実行したいのならば、点検液ＩＤ８ａの入力を促す画面となっている。
【００４５】
ＳＴ６７で、看護師等が測定処理モードを実行したい場合は、患者ＩＤ６を入力し、その後（ＳＴ６８乃至ＳＴ７０）は、上述の図７のＳＴ６２乃至ＳＴ６６等と同様の工程を経て、測定処理へ進むことになる。
【００４６】
一方、図５のＳＴ３で図１２の画面を見た看護師等が、血糖値の測定をするつもりで、先にチップＩＤ５ａを入力した場合は、ＳＴ７のチップＩＤ入力処理へ進む。
図８は、チップＩＤ入力処理を示す概略フローチャートである。
図８のＳＴ７０１では、ＩＤ入力を促す。このＩＤ入力は、図１１等に示すように、患者ＩＤ６、点検液ＩＤ８ａ、使用者ＩＤ９のいずれかになる。
これは、図４のチップＩＤ入力後画面表示プログラム３０で実行される。
ＳＴ７０１で、看護師等が、患者ＩＤ６を入力すると、ＳＴ７０２で測定モードが開始され、その後のＳＴ７０３乃至ＳＴ７０６は、図６に示す工程を経て、測定処理へ進むことになる。
【００４７】
一方、看護師等が、先に使用者ＩＤ９を入力した場合は、図１１で明らかなように、未だ実行したいモードは確定しない。すなわち、血糖値の測定処理モード又は点検処理モードとなる。
そこで、ＳＴ７０７では、患者ＩＤ６又は点検液ＩＤ８ａのいずれかの入力を促す画面をディスプレイ１１に表示する。これらは、チップＩＤ入力後画面表示プログラム３０が実行する。
【００４８】
ＳＴ７０７で、看護師等が患者ＩＤ６を入力すれば、看護師等が実行したモードが血糖値の測定処理モードであることが分かり、ＳＴ７０８で測定モードが開始され、その後のＳＴ７０９及びＳＴ７１０は、図６に示す工程を経て、測定処理へ進むことになる。
【００４９】
以上のように、本実施の形態では、看護師等は、自己が実行したい処理モードに必要なＩＤの一つをバーコード読取装置１６等で入力すれば、その後、ディスプレイ１１に入力に必要なＩＤが順に表示される。このため、従来のような、煩雑な画面操作をすることなく、簡易且つ迅速に所望の処理モードを実行することができる。したがって、看護師等の業務効率を向上させることができる。
【００５０】
次に、看護師等が、点検処理モードを実行したい場合について説明する。  
図５のＳＴ３で、点検液ＩＤ８ａを入力した場合、ＳＴ８へ進み、点検液ＩＤ入力処理へ進む。
図９は、点検液ＩＤ入力処理を示す概略フローチャートである。
図９の動作は、図４の点検液ＩＤ入力後画面表示プログラム３１で実行される。
図９に示すように、点検液ＩＤ８ａが入力されれば、図１１からも明らかなように、実行モードは、点検処理モードとなる。このため、ＳＴ８０１以下では、点検処理モードの実行に必要な他のチップＩＤ５ａ及び使用者ＩＤ９の入力を求めて、点検処理モードが開始されることなる（ＳＴ８０１乃至ＳＴ８０８）。
点検処理モードは、図４の点検処理実行プログラム３２が点検処理用データ３３を参照して実行されるが、詳細は後述する。
【００５１】
次に、看護師等が、点検処理モードを実行したい場合に、ＳＴ３で、先に使用者ＩＤ９を入力した場合について説明する。
ＳＴ３で使用者ＩＤ９を入力すると、図７のＳＴ６１で、ＩＤ入力又はボタン操作を求められる。このとき、看護師等は、点検処理モードを実行するために、点検液ＩＤ８ａ又はチップＩＤ５ａを入力することになる。
点検液ＩＤ８ａを入力した場合は、実行モードが点検処理モードに確定し、ＳＴ７１で点検処理モードが開始され、ＳＴ７２乃至ＳＴ７５は、図９で示す工程を経て、点検処理に進むことになる。
【００５２】
一方、ＳＴ６１で、チップＩＤ５ａを入力した場合は、ＳＴ６７で点検液ＩＤ８ａの入力が求められ、点検液ＩＤ８ａが入力されると、ＳＴ７６で点検処理モードが開始され、ＳＴ７７及びＳＴ７８は、図９で示す工程を経て、点検処理に進むことになる。
【００５３】
また、看護師等が、点検処理モードを実行したい場合に、ＳＴ３で、先にチップＩＤ５ａを入力した場合について説明する。
ＳＴ３でチップＩＤ５ａを入力すると、図８のＳＴ７０１で、ＩＤ入力を求められる。このとき、看護師等は、点検処理モードを実行するために、点検液ＩＤ８ａ又は使用者ＩＤ９を入力することになる。
点検液ＩＤ８ａを入力した場合は、実行モードが点検処理モードに確定し、ＳＴ７１１で点検処理モードが開始され、ＳＴ７１２乃至ＳＴ７１５は、図９で示す工程を経て、点検処理に進むことになる。
【００５４】
一方、ＳＴ７０１で、使用者ＩＤ９を入力した場合は、ＳＴ７０７で点検液ＩＤ８ａの入力が求められ、点検液ＩＤ８ａが入力されると、ＳＴ７１６で点検処理モードが開始され、ＳＴ７１７及びＳＴ７１８は、図９で示す工程を経て、点検処理に進むことになる。
【００５５】
また、看護師等が、履歴処理モードや設定処理モードを実行したい場合は、図５のＳＴ３で、使用者ＩＤ９が入力される。そして、図７のＳＴ６１で入力装置１６のボタン操作で履歴又は設定が選択され、履歴処理モード又は設定処理モードが開始されることになる。
具体的には、図４の履歴処理実行プログラム３４が、履歴処理用データ格納部３５のデータを参照して実行する。また、設定処理実行プログラム３６が、設定処理用データ格納部３７のデータを参照して実行する。
【００５６】
このように、本実施の形態では、上述の血糖値の測定処理モード以外のモードでも、看護師等に、当該実行モードに必要なＩＤデータを画面で示し、この画面に従ってＩＤを入力又はボタンを選択することで、迅速且つ容易に、所望の実行モードを血糖測定装置１０に開始させることができる。したがって、看護師等の業務効率を向上させることができる。
【００５７】
図１０は、血糖測定装置１０で実行される実行モードの主な内容を示す概略フローチャートであり、（ａ）は、血糖値の測定処理モード、（ｂ）点検処理モード、（ｃ）履歴処理モード、（ｄ）設定処理モードを示す。
図１０（ａ）では、ＳＴ１００１乃至ＳＴ１００７に示すようにして、血糖値が算出され、その結果がディスプレイ１１に表示等されることで、血糖値の測定処理モードが実行される。
図１０（ｂ）では、ＳＴ１０１１乃至ＳＴ１０１５に示すように点検液による血糖値が算出され、その結果がディスプレイ１１に表示等されることで、点検液による点検処理モードが実行される。
図１０（ｃ）では、ＳＴ１０２１乃至ＳＴ１０２５に示すように患者の測定履歴等が表示され、履歴処理モードが実行される。
図１０（ｄ）では、ＳＴ１０３１乃至ＳＴ１０３５に示すように選択された項目の設定の変更等の設定処理モードが実行される。
【００５８】
本発明は、上述の各実施の形態に限定されない。また、測定目的とする生体成分は、ブドウ糖（血糖値）に限らず、例えば、コレステロール、尿酸、クレアチニン、乳酸、ヘモグロビン（潜血）、各種アルコール類、各種糖類、各種タンパク質、各種ビタミン類、ナトリウム等の各種無機イオン等であってもよい。
【符号の説明】
【００５９】
１・・・血糖測定システム、３・・・情報管理装置、４・・・ケーブル、５・・・血糖値測定用チップ、５ａ・・・チップＩＤ（チップロット）、６・・・患者ＩＤ、７・・・クレードル、８・・・点検液、８ａ・・・点検液ＩＤ、９・・・使用者ＩＤ、１０・・・血糖測定装置、１１・・・ディスプレイ、１２・・・血糖測定装置側制御部、１３・・・血糖測定装置本体、１４・・・血糖測定装置側通信装置、１５・・・テンキー及びボタン等の入力装置、１６・・・バーコード読取装置、１７・・・セルフチェックプログラム、１８・・・セルフチェックデータ格納部、１９・・・メニュー画面表示プログラム、２０・・・メニュー画面データ格納部、２０ａ・・・メニュー画面データ、２１・・・バーコードデータ判定プログラム、２２・・・バーコード対応ＩＤデータ等格納部、２３・・・患者ＩＤ入力後画面表示プログラム、２４・・・ＩＤ入力完了判断プログラム、２５・・・確認画面表示プログラム、２６・・・血糖測定処理実行プログラム、２７・・・データベースの血糖測定処置用データ、２８・・・使用者ＩＤ入力後画面表示プログラム、２９・・・「履歴」及び「設定」選択画面データ格納部、３０・・・チップＩＤ入力後画面表示プログラム、３１・・・点検液ＩＤ入力後画面表示プログラム、３２・・・点検処理実行プログラム、３３・・・点検処理用データ、３４・・・履歴処理実行プログラム、３５・・・履歴処理用データ格納部、３６・・・設定処理実行プログラム、３７・・・設定処理用データ格納部
【図１】
2010236933.tif 000003
【図２】
2010236933.tif 000004
【図３】
2010236933.tif 000005
【図４】
2010236933.tif 000006
【図５】
2010236933.tif 000007
【図６】
2010236933.tif 000008
【図７】
2010236933.tif 000009
【図８】
2010236933.tif 000010
【図９】
2010236933.tif 000011
【図１０】
2010236933.tif 000012
【図１１】
2010236933.tif 000013
【図１２】
2010236933.tif 000014
【図１３】
2010236933.tif 000015
【図１４】
2010236933.tif 000016
【図１５】
2010236933.tif 000017
【図１６】
2010236933.tif 000018